(57)【特許請求の範囲】
【請求項１】
収納キャビネットの両側内面に平行リンクを有する昇降支持装置を配設し、これら昇降支持装置にて収納部を収納キャビネットの内外で昇降可能に支持した昇降式収納装置において、両側の昇降支持装置の平行リンクが同期して回動するように両平行リンクの一方のリンクの基部同士を連動連結軸にて連結するとともに、収納キャビネットに両昇降支持装置を配設した状態で連動連結軸をリンクと着脱可能に結合する着脱結合部を設け、着脱結合部は連動連結軸を連動連結軸の軸方向に対して直交する方向に着脱可能としたことを特徴とする昇降式収納装置。
【請求項２】
着脱結合部は、一方のリンクと連動連結軸との結合状態を解除可能に固定する手段を備えたことを特徴とする請求項１記載の昇降式収納装置。
【請求項３】
着脱結合部は、一方のリンクと連動して回転するとともにリンクの対向面より突出する結合突部と、連動連結軸の端部に形成した係合部がその軸方向に直交する方向から着脱可能に嵌入して回転方向に係合するように結合突部に形成された係止溝と、係止溝内に嵌入させた係合部の離脱を解除可能に阻止する手段とから成ることを特徴とする請求項１又は２記載の昇降式収納装置。
【請求項４】
着脱結合部は、一方のリンクと連動して回転するとともにリンクの対向面より突出する結合突部と、連動連結軸の端部に形成した係合部を軸方向から挿通させることにより回転方向に対して係合するように結合突部に形成された係止穴と、係止穴に挿通した係合部の軸方向の移動を阻止する手段とから成り、連動連結軸の一端側の係合部を係止穴に深く挿通することにより他端側の係合部を係止穴から抜き出せるようにしたことを特徴とする請求項１記載の昇降式収納装置。
【請求項５】
着脱結合部は、一方のリンクと連動して回転するとともにリンクの対向面より突出した結合突部と、結合突部に軸方向から嵌合可能に連動連結軸の端部に形成した嵌合部と、結合突部に嵌合部を嵌合した状態で両者を解除可能に結合する手段とから成り、連動連結軸の一端側の嵌合部を結合突部に深く嵌合することにより他端側の嵌合部を結合突部から抜き出せるようにしたことを特徴とする請求項１記載の昇降式収納装置。
【発明の詳細な説明】
【０００１】
【発明の属する技術分野】
本発明は、厨房等において各種の物を収納する収納装置に関し、特に収納キャビネットの内外で収納部を昇降させるようにした昇降式収納装置に関するものである。
【０００２】
【従来の技術】
従来のこの種の収納装置としては、例えば特開平７−１４８０３７号公報に開示されたもの等が知られている。その収納装置における収納部の昇降支持装置を図１３を参照して説明すると、収納キャビネット（図示せず）の両側内面に取付基台６１を固定し、これら取付基台６１にてそれぞれ平行リンク６２を回動自在に枢支し、各平行リンク６２の遊端部を連結した装着板６３に収納部（図示せず）の両側面を取付けて構成されている。取付基台６１にはその裏面側に間隔をあけて取付板６４を固着し、平行リンク６２の一方のリンク６５ａと固定した枢支軸６６を取付基台６１と取付板６４を貫通させてそれらの軸受部にて回転自在に支持し、取付基台６１と取付板６４の間に枢支軸６６に固定した大歯車６７を配設している。取付板６４の裏面側に突出した枢支軸６６の端部外周に蔓巻バネ６８を配置し、その一端６８ａを取付板６４に固定した係止部材６９に係合させ、その他端６８ｂは一方のリンク６５ａと連動して大歯車６７が回転したときに大歯車６７に突設した押動ピン７０と係合するように構成されている。なお、収納部が収納キャビネット６０内に収容されている上昇端から適当角度の回動範囲は蔓巻バネ６８の他端６８ｂと押動ピン７０が係合しない遊び範囲となるようにして収納部を軽く動かせるようにしている。また、取付板６４の裏面にロータリーダンパ７１が取付けられ、その軸に固定したピニオン７２を大歯車６７に噛合させ、大歯車６７が一方のリンク６５ａと連動して回転したとき増速してロータリーダンパ７１を回転させるように構成されている。
【０００３】
そして、両側の平行リンク６２の他方のリンク６５ｂの枢支軸７３は取付基台６１の軸受部にて回転自在に支持されるとともに取付基台６１表面から突出され、その突出部に連動連結軸７４の両端部が外嵌されてそれら貫通する連結ピン７５又はねじにて連結固定され、両側の平行リンク６２、６２が同期して回動するようにしている。
【０００４】
【発明が解決しようとする課題】
ところで、上記従来の昇降式収納装置の構成では、収納キャビネットの内側面に取付基台６１を取付ける前には連結軸７４が着脱可能であり、運送時や在庫時には分解してコンパクトに梱包することができ、また収納キャビネットの横方向の長さに応じて適当な長さの連結軸７４を選択することで、種々の横方向長さの収納キャビネットに同一仕様の昇降支持装置を適用することができるが、収納キャビネットに設置した後には、連結軸７４を着脱することができない構造となっているため、例えばこの昇降式収納装置の下部にさらに収納棚を吊り下げ設置する場合などに連結軸７４が邪魔になることがある等の不都合があった。
【０００５】
本発明は、上記従来の問題点に鑑み、収納キャビネットの両内側面に昇降支持装置を設置した状態でもそれらの平行リンクを同期して回動させる連動連結軸を着脱できる昇降式収納装置を提供することを目的としている。
【０００６】
【課題を解決するための手段】
本発明の昇降式収納装置は、両側の昇降支持装置の平行リンクが同期して回動するように両平行リンクの一方のリンクの基部同士を連動連結軸にて連結するとともに、収納キャビネットに両昇降支持装置を配設した状態で連動連結軸をリンクと着脱可能に結合する着脱結合部を設け、着脱結合部は連動連結軸を連動連結軸の軸方向に対して直交する方向に着脱可能としたものであり、収納キャビネットに両昇降支持装置を配設した後にも連動連結軸を取り外すことができ、収納キャビネットの下面に収納棚等を設置する場合にも連動連結軸が邪魔にならず、簡単に取付けることができる。
【０００７】
上記着脱結合部は、一方のリンクと連動連結軸との結合状態を解除可能に固定する手段を備えた構成とすることができ、そうすると固定手段による固定を解除し、又はその逆にするだけで連動連結軸を着脱することができ、着脱自体も簡単な作業で行なうことができる。
【０００８】
また、着脱結合部は、一方のリンクと連動して回転するとともにリンクの対向面より突出する結合突部と、連動連結軸の端部に形成した係合部がその軸方向に直交する方向から着脱可能に嵌入して回転方向に係合するように結合突部に形成された係止溝と、係止溝内に嵌入させた係合部の離脱を解除可能に阻止する手段にて構成してもよい。その結合突部は、リンクを枢支するとともに連動して回転する枢支ピンに設けても、リンクの基端部を延長してリンクの対向面側にＵ字状に折り曲げて設けてもよい。この着脱結合部によると、リンクの対向面から結合突部が突出しているので係合部の嵌入・抜き出しを容易に行なえかつ係合部の構造が簡単になる。
【００１０】
【発明の実施の形態】
以下、本発明の一実施形態について図１〜図５を参照して説明する。
【００１１】
図１において、１はキッチン等の壁面上部に設置された収納キャビネット、２はこの収納キャビネット１に、その内部に収容した状態（一点鎖線で示す）と外部の前方下部に引き出した状態（仮想線で示す）との間で昇降可能に装着された収納部である。収納部２は、例えば両側板と複数段の網かごと前端下部のハンドルを備えた収納ラック等にて構成されている。収納キャビネット１の両側内面には平行リンク４を有する昇降支持装置３が配設され、これら昇降支持装置３にて収納部２が上記のように昇降可能に支持されている。なお、収納部２は、実線で示すように平行リンク４が直立した位置で最も高く位置するが、収納部２を安定した状態で収容するために、その位置からさらに略１０度程度後側に回動した一点鎖線で示す状態で収納キャビネット１に完全に収容されるように構成してあり、本明細書ではこの位置を収納部２の上昇端と規定し、仮想線で示す状態を下降端と規定する。
【００１２】
昇降支持装置３は、図２に示すように、平行リンク４を構成する前側リンク５ａと後側リンク５ｂの各々の基端部を取付筐体６にて枢支しており、それらリンク５ａ、５ｂの遊端部が収納部２の両側面に固定した連結板７に枢着されている。両昇降支持装置３、３の前側リンク５ａの基端部は連動連結軸８にて互いに結合され、両昇降支持装置３、３の平行リンク４、４が互いに同期して回動するように構成されている。また、後側リンク５ｂには基端部からさらに延長した延長部９が形成されている。取付筐体６の外側面には、収納部２の上昇端で後側リンク５ｂの基端部近傍の後側縁が係合し、収納部２の下降端で延長部９の後側縁が係合するように全体形状が略三角形状のストッパ１０が固定され、収納部２の昇降端をこのストッパ１０にて規制するように構成されている。
【００１３】
後側リンク５ｂを枢支するとともにこの後側リンク５ｂと連動して回転する枢支軸１１が取付筐体６内に突出され、図３に示すように、取付筐体６内でこの枢支軸１１に連動回転板１２が固着されている。連動回転板１２の一端部１２ａに取付けたバネ掛け１３と取付筐体６の上部前端に設けたバネ掛け突起１４との間に引張バネ１５が介装され、連動回転板１２の他端部１２ｂに設けた支軸ピン１６と取付筐体６の上部後端部に設けた支軸ピン１７との間に直動式ダンパ１８が介装されている。前側リンク５ａの基端部には枢支ピン１９が固定され、この枢支ピン１９が取付筐体６に設けられた軸受部２０にて回転自在に支持されている。
【００１４】
前側リンク５ａの基部と連動連結軸８は、図４、図５に示すように、着脱結合部２１にて着脱可能に結合されている。この着脱結合部２１は、枢支ピン１９にリンク５ａの対向面より突出する結合突部２２を設け、この結合突部２２に直径方向に延びかつ一端が外周に開口した係止溝２３を形成し、連動連結軸８の両端部に係止溝２３に嵌入係合可能な扁平状の係合部２４を設け、固定ねじ２５にて係止溝２３に嵌入係合させた係合部２４を固定して係合部２４の係止溝２３からの離脱を阻止するように構成されている。
【００１５】
２５ａは結合突部２２の外周から係止溝２３まで貫通させた固定ねじ２５の貫通穴、２５ｂは係合部２４に形成した固定ねじ２５が螺合するねじ穴である。また、１９ａは前側リンク５ａの基部に形成した角穴５ｃに嵌合する角軸部で、その外側に結合突部２２が形成され、前側リンク５ａの枢支ピン１９からの離脱防止を兼ねている。図５において、１９ｂは軸受部２０からの枢支ピン１９の抜け出しを防止するスナップリングである。
【００１６】
以上の構成の昇降式収納装置において、収納部２を収納キャビネット１内からその前方下部に引き出すために前端下端部のハンドル（図示せず）を手前に引くと、平行リンク４が前方に向けて回動するのに伴って収納部２はその自重による回動モーメントにより加速度的に下降し始めるが、その回動モーメントを相殺するように連動回転板１２と引張バネ１５による逆向きの回動モーメントが作用し、さらに直動式ダンパ１８によってその回動速度が抑制されるため、収納部２はゆっくりと下降端まで下降する。下降端になると、リンク５ｂの延長部９の側縁がストッパ１０に衝突して平行リンク４の回動が停止し、収納部２はその位置で停止・支持される。
【００１７】
この収納部２の下降に際して、オリフィスの流通抵抗により緩衝作用を得る直動式ダンパー１８と引張バネ１５と枢支軸１１に連結した連動回転板１２を組み合わせて用いているので、ダンパの動作特性の温度による影響が小さく、雰囲気温度が変化しても安定した動作特性が得られ、また引張バネ１５は大きなバネ荷重を容易に得ることができるとともに連動回転板１２との組合せにより収納部２の下降運動に伴う回動モーメントの変化に対応するモーメントを容易に得ることができて最適な緩衝特性を実現することができる。
【００１８】
一方、収納部２を上昇させて収納キャビネット１内に収容する場合にも、収納部２の荷重による回転モーメントが引張バネ１５の付勢力により相殺され、かつ直動式ダンパ１８はワンウェイ機構により上昇時の抵抗は殆どなくなるので、比較的軽く上昇させて収容することができる。上昇端においてもリンク５ｂの側縁がストッパ１０に衝突して同様に緩衝停止され、その位置で支持される。
【００１９】
そして、本実施形態によれば、前側リンク５ａの基部と連動連結軸８を着脱結合部２１にて着脱可能に結合しているので、収納キャビネット１に両昇降支持装置３、３を配設した後にも必要に応じて連動連結軸８を取り外すことができ、収納キャビネット１の下面に別の収納棚等を設置する場合にも連動連結軸８が邪魔にならず、簡単に取付けることができる。
【００２０】
その際に、前側リンク５ａの対向面から結合突部２２が突出しているため、連動連結軸８の両端の係合部２４の嵌入・抜き出しを容易に行なうことができる。
【００２１】
さらに、連動連結軸８を取り外すときには、固定ねじ２５を取り外して係止溝２３から係合部２４を抜き出すだけでよいので作業が極めて簡単である。その後、再び連動連結軸８にて両前側リンク５ａ、５ａを連動連結する場合にも、係合部２４を係止溝２３に嵌入させて固定ねじ２５にて固定することによって簡単に結合することができ、連動連結軸８の取外し、取付けを極めて作業性良く行なうことができる。
【００２２】
着脱結合部２１の具体構成は、上記図示例に限定されるものではなく、種々の構成を適用することができ、以下いくつかの例について、図６〜図１２を参照しながら説明する。
【００２３】
図６に示したものは、図４、図５と実質的に同一構成であり、図６（ａ）は結合突部２２を円形ではなく矩形にし、その両側が前側リンク５ａの両側に沿うようにしたものであり、図６（ｂ）は係合部２４の係止溝２３からの離脱阻止手段として、円形の結合突部２２の外周に溝２６を形成して係止溝２３の開口を閉じるようにバネリング２７を嵌着するようにしたものである。
【００２４】
図７に示したものは、連動連結軸８を断面コ字状の溝形部材２８にて構成し、矩形状の結合突部２２にその両端部の係合部２９を嵌合係合させ、固定ねじ３０にて固定するようにしたものである。この場合、結合突部２２に係止溝２３を形成する必要がない。また、連動連結軸８の全長を溝形部材２８にて構成せずに、係合部２４のみを溝形部材２８にて構成してもよい。
【００２５】
図８、図９に示したものは、前側リンク５ａの基部を延長して前側リンク５ａの対向面側にＵ字状に折り曲げて結合突部３１を形成し、この結合突部３１に係止溝２３を形成し、結合突部３１の一側に固定ねじ３３の頭部３３ａを係合させることにより係合部２４が係止溝２３から離脱するのを防止する切欠３２を形成したものである。
【００２６】
図１０、図１１に示したものは、前側リンク５ａの基部を延長して前側リンク５ａの対向面側にＵ字状に折り曲げて結合突部３４を形成し、この結合突部３４に連動連結軸８の係合部２４を挿通させることができる長穴状で係合部２４が前側リンク５ａの回動方向に係合する係止穴３５を形成し、前側リンク５ａと結合突部３４の間で係合部２４に固定ねじ３６を螺合させて係止穴３５に挿通した係合部２４が軸芯方向の移動して係止穴３５から離脱するのを防止するようにしたものである。そして、両側の昇降支持装置３、３の互いに対向する前側リンク５ａ、５ａの係止穴３５に対して連動連結軸８の両端の係合部２４を挿通させるため、図１１に示すように、連動連結軸８の一端側の係合部２４を一方の係止穴３５に深く挿通することにより他端側の係合部２４を他方の係止穴３５から抜き出せるように構成している。なお、図示例では結合突部３４を前側リンク５ａをＵ字状に折り曲げて形成した例を示したが、図４、図５に示したように枢支ピン１９に設けてもよい。
【００２７】
図１２に示したものは、枢支ピン１９又は前側リンク５ａから前側リンク５ａの対向面から突出するように軸状結合突部３７を突設し、この軸状結合突部３７に連動連結軸８の両端部に形成した嵌合部３８を嵌合し、軸状結合突部３７に嵌合部３８を嵌合した状態で両者を回転方向及び軸芯方向に解除可能に結合する結合ピン３９を設けたものである。そして、両側の昇降支持装置３、３の互いに対向する前側リンク５ａ、５ａの軸状結合突部３７に対して連動連結軸８の両端の嵌合部３８を嵌合させるため、一方の軸状結合突部３７を長くし、連動連結軸８の一端側の嵌合部３８を一方の長い軸状結合突部３７に深く嵌合させることにより他端側の嵌合部３８を他方の軸状結突部３７から抜き出せるように構成している。なお、図示例では軸状結合突部３７及び嵌合部３８として円形断面のものを示したが、矩形断面のものを用いることもでき、その場合結合ピン３９は軸状結合突部３７と嵌合部３８の軸芯方向の移動を阻止するものであればよい。
【００２８】
【発明の効果】
本発明の昇降式収納装置によれば、以上の説明から明らかなように、両側の昇降支持装置の平行リンクが同期して回動するように両平行リンクの一方のリンクの基部同士を連動連結軸にて連結するとともに、収納キャビネットに両昇降支持装置を配設した状態で連動連結軸をリンクと着脱可能に結合する着脱結合部を設けたので、収納キャビネットに両昇降支持装置を配設した後にも連動連結軸を取り外すことができ、収納キャビネットの下面に収納棚等を設置する場合にも連動連結軸が邪魔にならずに簡単に取付けることができ、従って各ユーザーの厨房のレイアウトに応じて各種収納装置や収納棚を適当に組み合わせて設置する際の作業性を大幅に向上することができる。
【００２９】
また、着脱結合部を、一方のリンクと連動連結軸との結合状態を解除可能に固定する手段を備えた構成とすると、固定手段による固定を解除し、又はその逆にするだけで連動連結軸を着脱することができ、着脱自体も簡単な作業で行なうことができる。
【００３０】
また、着脱結合部を、一方のリンクと連動して回転するとともにリンクの対向面より突出する結合突部と、連動連結軸の端部に形成した係合部がその軸方向に直交する方向から着脱可能に嵌入して回転方向に係合するように結合突部に形成された係止溝と、係止溝内に嵌入させた係合部の離脱を解除可能に阻止する手段にて構成すると、リンクの対向面から結合突部が突出しているので係合部の嵌入・抜き出しが容易となりかつ係合部の構造を簡単にできる。
【００３１】
また、着脱結合部を、一方のリンクと連動して回転するとともにリンクの対向面より突出する結合突部と、連動連結軸の端部に形成した係合部を挿通させることにより回転方向に対して係合するように結合突部に形成された係止穴と、係合穴に挿通した係合部の軸芯方向の移動を阻止する手段にて構成し、かつ連動連結軸の一端側の係合部を係止穴に深く挿通することにより他端側の係合部を係止穴から抜き出せるように構成し、若しくは結合突部に嵌合可能に連動連結軸の端部に形成した嵌合部と、結合突部に嵌合部を嵌合した状態で両者を回転方向に解除可能に結合する手段にて構成し、連動連結軸の一端側の嵌合部を結合突部に深く嵌合することにより他端側の嵌合部を結合突部から抜き出せるように構成しても、結合突部及び係合部や嵌合部の構造が簡単にできる。
【図面の簡単な説明】
【図１】本発明の一実施形態の昇降式収納装置を示し、（ａ）は側面図、（ｂ）は中央部を省略して示した正面図である。
【図２】同実施形態の収納部昇降支持装置を示し、（ａ）は図１（ｂ）のＡ−Ａ矢視拡大断面図、（ｂ）は（ａ）のＢ−Ｂ矢視図である。
【図３】同実施形態の収納部昇降支持装置における取付筐体内の構造を示し、図１（ｂ）のＣ−Ｃ矢視拡大断面図である。
【図４】同実施形態の着脱結合部の分解斜視図である。
【図５】同実施形態の着脱結合部の部分断面正面図である。
【図６】同実施形態の着脱結合部の変形例を示し、（ａ）は第１の変形例の要部の斜視図、（ｂ）は第２の変形例の要部の斜視図である。
【図７】同実施形態の着脱結合部の第３の変形例の要部の分解斜視図である。
【図８】同実施形態の着脱結合部の第４の変形例の分解斜視図である。
【図９】同実施形態の着脱結合部の第４の変形例の部分断面正面図である。
【図１０】同実施形態の着脱結合部の第５の変形例の分解斜視図である。
【図１１】同実施形態の着脱結合部の第５の変形例の結合過程の説明図である。
【図１２】同実施形態の着脱結合部の第６の変形例の分解斜視図である。
【図１３】従来例の昇降式収納装置の要部の構成を示す斜視図である。
【符号の説明】
１  収納キャビネット
２  収納部
３  昇降支持装置
４  平行リンク
５ａ  前側リンク
８  連動連結軸
２１  着脱結合部
２２  結合突部
２３  係止溝
２４  係合部
２５  固定ねじ
２７  バネリング
２９  係合部
３０  固定ねじ
３１  結合突部
３２  切欠
３３  固定ねじ
３４  結合突部
３５  係止穴
３６  固定ねじ
３７  軸状結合突部
３８  嵌合部
３９  結合ピン
【図１】
0003652001.tif 000002
【図２】
0003652001.tif 000003
【図３】
0003652001.tif 000004
【図４】
0003652001.tif 000005
【図５】
0003652001.tif 000006
【図６】
0003652001.tif 000007
【図７】
0003652001.tif 000008
【図８】
0003652001.tif 000009
【図９】
0003652001.tif 000010
【図１０】
0003652001.tif 000011
【図１１】
0003652001.tif 000012
【図１２】
0003652001.tif 000013
【図１３】
0003652001.tif 000014